(57)【要約】【課題】  管理サーバーを不要として文書管理を図ることができる画像形成装置を提供する。【解決手段】  画像データを入力する入力部１１と、入力された画像データに開示レベルのデータを付加する開示レベル付加装置１４と、画像データを蓄積する画像蓄積装置１６とを備え、入力部１１から入力された画像データと開示レベル付加装置１４により付加された開示レベルのデータとを画像蓄積装置１６に蓄積するようにした。【選択図】  図１
2006340270.tif 000002
【特許請求の範囲】
【請求項１】
画像データを入力する画像入力手段と、入力された画像データに開示レベルのデータを付加する開示レベル付加手段と、画像データを蓄積する画像データ蓄積手段と、を備え、前記画像入力手段から入力された画像データと前記開示レベル付加手段により付加された開示レベルのデータとを前記画像データ蓄積手段に蓄積することを特徴とする画像形成装置。
【請求項２】
請求項１に記載の画像形成装置において、前記開示レベル付加手により付加する開示レベルの指定操作を行う操作手段を備え、前記操作手段により指定された開始レベルのデータを前記開示レベル付加手段により前記画像データに付加するようにしたことを特徴とする画像形成装置。
【請求項３】
請求項１に記載の画像形成装置において、ネットワーク接続するネットワークＩ／Ｆを備え、端末側から指定された開示レベルを前記画像データに付加して前記画像蓄積手段に蓄積することを特徴とする画像形成装置。
【請求項４】
請求項３に記載の画像形成装置において、開示レベルを判定する開示レベル判定手段を備え、前記ネットワークから画像データを蓄積する際に、蓄積しようとしている端末側の情報を元に前記開示レベル判定手段により前記開示レベルを判定し、前記画像データに開示レベルを付加することを特徴とする画像形成装置。
【請求項５】
請求項１乃至請求項４の何れか１項に記載の画像形成装置において、前記画像データの画像を表示する表示手段を備え、前記開示レベルを元に前記画像データが開示可能であると判断した場合に、前記表示手段に前記画像データの画像を表示することを特徴とする画像形成装置。
【発明の詳細な説明】
【技術分野】
【０００１】
本発明は画像データ（文書）の機密漏洩防止技術に特徴のある画像形成装置に関する。
【背景技術】
【０００２】
機密文書の漏洩防止技術に関して従来から種種の提案がなされている。例えば特許文献１には、ユーザー情報管理を、管理サーバーを使って行う技術が提案されている。
【特許文献１】特開２００４−２７４５０５公報
【発明の開示】
【発明が解決しようとする課題】
【０００３】
上記従来技術ではセキュリティ確保のために管理サーバーを必要とし、大掛かりなシステムになってしまうという問題がある。
本発明は、管理サーバーを不要として文書管理を図ることができる画像形成装置を提供することを目的とする。
【課題を解決するための手段】
【０００４】
上記目的を達成するために、請求項１記載の発明は、画像データを入力する画像入力手段と、入力された画像データに開示レベルのデータを付加する開示レベル付加手段と、画像データを蓄積する画像データ蓄積手段と、を備え、前記画像入力手段から入力された画像データと前記開示レベル付加手段により付加された開示レベルのデータとを前記画像データ蓄積手段に蓄積することを特徴とする。
請求項２記載の発明は、請求項１に記載の画像形成装置において、前記開示レベル付加手により付加する開示レベルの指定操作を行う操作手段を備え、前記操作手段により指定された開始レベルのデータを前記開示レベル付加手段により前記画像データに付加するようにしたことを特徴とする。
請求項３記載の発明は、請求項１に記載の画像形成装置において、ネットワーク接続するネットワークＩ／Ｆを備え、端末側から指定された開示レベルを前記画像データに付加して前記画像蓄積手段に蓄積することを特徴とする。
請求項４記載の発明は、請求項３に記載の画像形成装置において、開示レベルを判定する開示レベル判定手段を備え、前記ネットワークから画像データを蓄積する際に、蓄積しようとしている端末側の情報を元に前記開示レベル判定手段により前記開示レベルを判定し、前記画像データに開示レベルを付加することを特徴とする。
請求項５記載の発明は、請求項１乃至請求項４の何れか１項に記載の画像形成装置において、前記画像データの画像を表示する表示手段を備え、前記開示レベルを元に前記画像データが開示可能であると判断した場合に、前記表示手段に前記画像データの画像を表示することを特徴とする。
【発明の効果】
【０００５】
本発明によれば、他のユーザーにその画像データ（文書）に開示レベルを付加することで、セキュリティの信頼性に優れた画像形成装置を提供することができる。
【発明を実施するための最良の形態】
【０００６】
以下、図面を参照して、本発明の実施形態を詳細に説明する。
図１は本発明の実施形態に係る画像形成装置のブロック図である。
本実施形態の画像形成装置１は、ユーザー操作による指定項目の入力と、画像データの画像を表示する表示手段としての機能を有する操作部（操作手段）１１、画像データを入力する入力部（画像入力手段）１２、蓄積された画像データの開示レベルを判定する開示レベル判定装置（開示レベル判定手段）１３、入力された画像データに対して開示レベルを付加する開示レベル付加装置（開示レベル付加手段）１４、ネットワーク２からのデータを入出力するネットワークＩ／Ｆ１５、入力された画像データや開示レベルを蓄積する画像蓄積装置（画像蓄積手段）１６を備える。
【０００７】
［実施例１］
図２は実施例１の制御動作を示すフローチャートである。
先ず、入力する画像データ元の原稿を入力部１２にセットする（Ｓ１）。次に、操作部１１から入力する画像データの開示レベルを指定する（Ｓ２）。入力する際の情報を全てユーザーが指定したら、入力部１２で画像データの入力を開始する（Ｓ３）。最後に、入力された画像データに対して、操作部１１から指定されている開示レベルを開示レベル付加装置１４で付加してから、画像蓄積装置１６に蓄積を行う（Ｓ４）。
［実施例２］
図３は実施例２の制御動作を示すフローチャートである。まず、画像形成装置１に繋がったネットワーク２を介して、後述する端末側から画像データの蓄積を要求する（Ｓ１）。画像形成装置１はその蓄積要求を受ける。
次に画像形成装置１は蓄積を要求してきた端末側の情報（ＩＰアドレスなど）を取得する（Ｓ２）。
次に取得した端末側の情報から、既に登録している端末情報と蓄積時の開示レベルのテーブル情報を元にして、開示レベルの検索を行う（Ｓ３）。ステップＳ４において検索した結果、端末情報が見つからなかった場合は開示レベルを付加せずに画像データを画像蓄積装置１６に蓄積する（Ｓ５）。
一方、検索した結果、端末情報があった場合は、その情報から開示レベルを付加して画像データを画像蓄積装置１６に蓄積する（Ｓ６）。
【０００８】
［実施例３］
図４は実施例３の説明図である。図４に示すように端末３側から直接、開示レベルを付加した状態で画像データの送信をして画像形成装置１の画像蓄積装置１６内に画像データを蓄積する。
図５は実施例３の制御動作を示すフローチャートである。まず、端末３側から画像形成装置１に対して画像データを蓄積する際に、開示レベルの指定を行う（Ｓ１）。次に、端末３側は画像データを、ネットワーク２を介して画像形成装置１へ送る際に、ユーザーに指定された開示レベルも画像データと共に送信する（Ｓ２）。最後に、画像形成装置１側は送信されてきた画像データをそのまま画像蓄積装置１６に蓄積する（Ｓ３）。
［実施例４］
実施例４では、蓄積画像データをユーザーが探そうとする場合に、実施例１〜３で指定した開示レベルを元に判断する。
図６は実施例４の制御動作を示すフローチャートである。まず、蓄積画像データの表示を操作部１１から要求する（Ｓ１）。次に、表示要求のあった画像データにある開示レベルを開示レベル判定装置１３で判定する（Ｓ２）。判定結果（Ｓ３）が開示できないレベルの画像データだった場合は、ユーザーに開示不可能であることを知らせる（Ｓ４）。判定結果が開示可能なレベルだった場合には、指定された画像データを操作部１１へ送信して画像データの表示を行う（Ｓ５）。
【図面の簡単な説明】
【０００９】
【図１】本発明の実施形態に係る画像形成装置のブロック図である。
【図２】実施例１の制御動作を示すフローチャートである。
【図３】実施例２の制御動作を示すフローチャートである。
【図４】実施例３の説明図である。
【図５】実施例３の制御動作を示すフローチャートである。
【図６】実施例４の制御動作を示すフローチャートである。
【符号の説明】
【００１０】
１１  操作部、１２  入力部、１３  開示レベル判定装置、１４  開示レベル付加装置、１５  ネットワークＩ／Ｆ、１６  画像蓄積装置
【図１】
2006340270.tif 000003
【図２】
2006340270.tif 000004
【図３】
2006340270.tif 000005
【図４】
2006340270.tif 000006
【図５】
2006340270.tif 000007
【図６】
2006340270.tif 000008